(57)【要約】【課題】出力先の装置に応じて適切な映像信号を出力することが可能な映像信号出力装置を提供する。【解決手段】外部への接続機器が映像信号記録再生装置３等である場合には、切換スイッチ１８において、映像信号Ｄ２がそのまま映像信号記録再生装置３へ出力されるように、出力経路の切り換えを行う。一方、上記接続機器が液晶表示装置２等である場合には、切換スイッチ１８において、映像信号処理部１９による補正後の映像信号が液晶表示装置２へ出力されるように、出力経路の切り換えを行う。これにより、出力先の装置に応じて、高画質の映像信号をそのまま忠実に出力したり、映像信号を表示する際の応答速度を効果的に改善したりすることができる。【選択図】図１
2010204344.tif 000002
【特許請求の範囲】
【請求項１】
外部の接続機器への映像信号の出力経路を切り換えるための切換部と、
前記接続機器が液晶表示装置である場合においてこの液晶表示装置内で実行されるオーバードライブ処理がより強まることとなる方向へ前記映像信号に対して補正値を重畳することにより、映像信号の補正を行う補正部と
を備え、
前記切換部は、前記接続機器が、映像信号記録再生装置、映像信号記録装置または液晶表示装置を除く表示装置である場合には、前記映像信号が前記補正部を介さずにそのまま前記接続機器へ出力される一方、前記接続機器が液晶表示装置である場合には、前記映像信号が前記補正部を介することにより補正後の映像信号が前記接続機器へ出力されるように、前記出力経路の切り換えを行う
映像信号出力装置。
【請求項２】
前記補正部は、
映像信号の立ち上がりの際には、元の映像信号に対して補正値を加算することにより前記映像信号の補正を行うと共に、
映像信号の立ち下がりの際には、元の映像信号に対して補正値を減算することにより前記映像信号の補正を行う
請求項１に記載の映像信号出力装置。
【請求項３】
前記補正部は、前記映像信号の立ち下がりまたは立ち下がりの際に、液晶の応答波形が単位フレーム期間内に遷移後の階調レベルに到達することとなるように、前記補正値の加算または減算を行う
請求項２に記載の映像信号出力装置。
【請求項４】
前記補正部は、前記液晶表示装置における液晶の応答特性に応じて予め補正値が設定されたＬＵＴ（ルックアップテーブル）を用いて、前記映像信号の補正を行う
請求項１ないし請求項３のいずれか１項に記載の映像信号出力装置。
【請求項５】
前記ＬＵＴにおいて、映像信号の階調における下位ビットがマスクされることにより、階調に対して補正値が間引いて設定されている
請求項４に記載の映像信号出力装置。
【請求項６】
前記補正部は、前記ＬＵＴにおいて間引かれている階調に対応する補正値を所定の補間処理により算出すると共に、その算出した補正値を用いて補正を行う
請求項５に記載の映像信号出力装置。
【請求項７】
前記補正部は、前記液晶表示装置における液晶の応答特性に応じて予め規定された演算式を用いて補正値を随時算出することにより、前記映像信号の補正を行う
請求項１ないし請求項３のいずれか１項に記載の映像信号出力装置。
【請求項８】
前記映像信号が、ＲＧＢ規格の映像信号により構成されており、
前記補正部は、Ｒ，Ｇ，Ｂ信号に対して共通の補正値を用いて補正を行う
請求項１に記載の映像信号出力装置。
【請求項９】
前記補正部は、映像信号を圧縮する際の中間信号であるＹＣｒＣｂ規格の映像信号に対して補正を行う
請求項１に記載の映像信号出力装置。
【請求項１０】
前記補正部は、Ｙ（輝度）信号に対して相対的に大きな補正値を重畳する一方、Ｃｒ，Ｃｂ（色差）信号に対して相対的に小さな補正値を重畳する
請求項９に記載の映像信号出力装置。
【請求項１１】
前記補正部は、Ｃｒ，Ｃｂ信号に対して共通の補正値を用いて補正を行う
請求項９に記載の映像信号出力装置。
【請求項１２】
映像信号を保持しておくための記録部を備え、
映像信号記録再生装置または映像信号再生装置として構成されている
請求項１に記載の映像信号出力装置。
【請求項１３】
外部の接続機器に対して映像信号を出力する際に、
前記接続機器が、映像信号記録再生装置、映像信号記録装置または液晶表示装置を除く表示装置である場合には、前記映像信号がそのまま前記接続機器へ出力されるように出力経路の切り換えを行う一方、
前記接続機器が液晶表示装置である場合には、この液晶表示装置内で実行されるオーバードライブ処理がより強まることとなる方向へ前記映像信号に対して補正値を重畳する映像信号の補正が行われると共に、この補正後の映像信号が前記接続機器へ出力されるように、前記出力経路の切り換えを行う
映像信号出力方法。
【発明の詳細な説明】
【技術分野】
【０００１】
本発明は、他の装置に対して映像信号を出力する映像信号出力装置および映像信号出力方法に関する。
【背景技術】
【０００２】
ハードディスクビデオレコーダは、入力したビデオ信号（映像信号）を圧縮することにより、圧縮デジタルビデオ信号（映像圧縮信号）に変換してＨＤＤ（Hard Disk Drive）に記録すると共に、このＨＤＤに記録された圧縮デジタルビデオ信号を再生する装置である。
【０００３】
このようなハードディスクビデオレコーダ等の映像信号記録再生装置では、画面分解能を標準からＨＤ（High Definition）に変換したり、あるいはフレームレートを標準から高フレームレートに変換したりすることにより、高画質化を実現するようになっている。これにより、例えば、カメラから記録するビデオの内容に忠実度が要求される医療分野や美術的な記録、歴史的な記録等を行う場合に、記録したビデオ信号と再生したビデオ信号とが同じである可逆圧縮（ロスレス）コーデックによる記録再生を行うことが可能となる。
【０００４】
この場合、映像信号記録再生装置において記録したビデオ信号を再生するためのディスプレイ（表示装置）としては、表示する際の画面分解能およびフレームレートを満たすものを使用することになる。すなわち、画面分解能に関しては、ビデオ信号の画素数に見合う画素数を有する表示装置を使用し、フレームレートに関しては、ビデオ信号のフレーム数に見合うフレーム表示が可能な表示装置を使用すればよい。
【０００５】
しかし、フレーム数に見合うフレーム表示が可能なディスプレイであっても、フレームレートに対して応答速度に十分なマージンが無い表示装置では、残像が残ってしまう問題がある。具体的には、ＣＲＴ（Cathode Ray Tube）表示装置のような応答速度が十分に速い表示装置では、そのような残像の問題は少ないのに対し、液晶表示装置等の応答速度が比較的遅いディスプレイ装置では、残像が残ってしまうことになる。
【０００６】
そのため、特に動画対応の液晶表示装置では、液晶のドライブ回路にオーバードライブ回路を組み入れてオーバードライブ処理を行うことにより、液晶の応答速度を改善させるようになっている（例えば、特許文献１）。
【先行技術文献】
【特許文献】
【０００７】
【特許文献１】特開２００６−３４９９５２号公報
【発明の概要】
【発明が解決しようとする課題】
【０００８】
ところが、上記のようなオーバードライブ処理により残像特性を改善した液晶表示装置等においても、高画質を志向したフレームレートに対して十分なマージンが確保できていない場合、残像が取りきれずに残ってしまうことがある。
【０００９】
この様な状況下で、液晶表示装置等の応答速度が比較的遅い表示装置を、高画質で高忠実度の映像信号記録再生装置に対して接続した場合、ビデオ信号本来の高画質で高忠実度の映像が見られないため、残像のある劣化した映像になるという問題があった。
【００１０】
すなわち、高画質で高忠実度の映像記録再生装置において、他の映像記録再生装置の信号ソースになる場合には、劣化の少ない、あるいは劣化の無い（ロスレス）ビデオ信号の再生出力が望まれる。一方、応答速度が比較的遅い液晶表示装置等の信号ソースになる場合には、上記したように、出力されたビデオ信号を表示したときに残像が残ってしまう問題が生じる。したがって、劣化の少ない、あるいは劣化の無い（ロスレス）ビデオ信号の再生出力が、必ずしも望まれるものとは限らないことになる。なお、このような問題は、ハードディスクビデオレコーダ等の映像信号記録再生装置には限られず、映像信号を出力する装置（映像信号出力装置）全般において起こり得るものである。
【００１１】
本発明はかかる問題点に鑑みてなされたもので、その目的は、出力先の装置に応じて適切な映像信号を出力することが可能な映像信号出力装置および映像信号出力方法を提供することにある。
【課題を解決するための手段】
【００１２】
本発明の映像信号出力装置は、外部の接続機器への映像信号の出力経路を切り換えるための切換部と、上記接続機器が液晶表示装置である場合においてこの液晶表示装置内で実行されるオーバードライブ処理がより強まることとなる方向へ映像信号に対して補正値を重畳することにより、映像信号の補正を行う補正部とを備えたものである。また、この切換部は、上記接続機器が、映像信号記録再生装置、映像信号記録装置または液晶表示装置を除く表示装置である場合には、映像信号が補正部を介さずにそのまま接続機器へ出力される一方、上記接続機器が液晶表示装置である場合には、映像信号が補正部を介することにより補正後の映像信号が接続機器へ出力されるように、出力経路の切り換えを行うようになっている。
【００１３】
本発明の映像信号出力方法は、外部の接続機器に対して映像信号を出力する際に、上記接続機器が、映像信号記録再生装置、映像信号記録装置または液晶表示装置を除く表示装置である場合には、映像信号がそのまま接続機器へ出力されるように出力経路の切り換えを行う一方、上記接続機器が液晶表示装置である場合には、この液晶表示装置内で実行されるオーバードライブ処理がより強まることとなる方向へ映像信号に対して補正値を重畳する映像信号の補正が行われると共に、この補正後の映像信号が接続機器へ出力されるように、出力経路の切り換えを行うようにしたものである。
【００１４】
本発明の映像信号出力装置および映像信号出力方法では、上記接続機器が、映像信号記録再生装置、映像信号記録装置または液晶表示装置を除く表示装置である場合には、映像信号が補正されず、そのまま接続機器へ出力される。一方、上記接続機器が液晶表示装置である場合には、映像信号が補正されたのちに接続機器へ出力される。具体的には、液晶表示装置内で実行されるオーバードライブ処理がより強まることとなる方向へ映像信号に対して補正値が重畳されることにより、映像信号の補正が行われると共に、この補正後の映像信号が接続機器へ出力される。これにより、上記接続機器が映像信号記録再生装置等である場合には、劣化が無いかもしくは少ない高画質の映像信号がそのまま忠実に出力される一方、上記接続機器が液晶表示装置である場合には、上記のような補正後の映像信号が出力されることにより、その映像信号を表示する際の応答速度が効果的に改善される。
【発明の効果】
【００１５】
本発明の映像信号出力装置および映像信号出力方法によれば、上記接続機器が映像信号記録再生装置等である場合には、映像信号がそのまま接続機器へ出力されるように出力経路の切り換えを行う一方、上記接続機器が液晶表示装置である場合には、上記補正後の映像信号が接続機器へ出力されるように出力経路の切り換えを行うようにしたので、出力先の装置に応じて、高画質の映像信号をそのまま忠実に出力したり、映像信号を表示する際の応答速度を効果的に改善したりすることができ、出力先の装置に応じて適切な映像信号を出力することが可能となる。
【図面の簡単な説明】
【００１６】
【図１】本発明の一実施の形態に係る映像信号出力装置（映像信号記録再生装置）の構成を表すブロック図である。
【図２】図１に示した映像信号補正部において用いられるＬＵＴの一例を表す模式図である。
【図３】比較例に係る映像信号出力装置（映像信号記録再生装置）において液晶表示装置を出力先として接続した場合の動作を説明するためのブロック図である。
【図４】図３に示した液晶表示装置におけるオーバードライブ処理の一例について説明するためのタイミング波形図である。
【図５】図３に示した液晶表示装置におけるオーバードライブ処理の他の例について説明するためのタイミング波形図である。
【図６】図１に示した映像信号記録再生装置において他の映像信号記録再生装置を出力先として接続した場合の動作を説明するためのブロック図である。
【図７】図１に示した映像信号記録再生装置において液晶表示装置を出力先として接続した場合の動作を説明するためのブロック図である。
【図８】図７に示した場合における映像信号の補正処理の一例について説明するためのタイミング波形図である。
【図９】本発明の変形例２に係る映像信号の補正処理の一例について説明するための特性図である。
【図１０】本発明の変形例４に係る映像信号の補正処理の一例について説明するための特性図である。
【発明を実施するための形態】
【００１７】
以下、本発明の実施の形態について、図面を参照して詳細に説明する。なお、説明は以下の順序で行う。
１．実施の形態（ＬＵＴを用いた補正処理の例）
２．変形例
変形例１（映像信号の階調における下位ビットをマスクした間引いた場合の例）
変形例２（間引かれた階調の補正値を補間処理により算出する場合の例）
変形例３（Ｒ，Ｇ，Ｂ信号に対して共通の補正値を適用する場合の例）
変形例４（演算式（近似曲線）を用いた補正処理の例）
変形例５（Ｙ，Ｃｒ，Ｃｂ信号に対して補正処理を行う場合の例）
【００１８】
＜１．実施の形態＞
［映像信号出力装置（映像信号記録再生装置）の全体構成例］
図１は、本発明の一実施の形態に係る映像信号出力装置としての映像信号記録再生装置１のブロック構成を表すものである。映像信号記録再生装置１は、外部からの入力映像信号（ビデオ信号）Ｄinを圧縮して映像圧縮信号（デジタルビデオ信号）Ｓinを生成し、ＨＤＤに記録すると共に、記録された映像圧縮信号Ｓoutを再生し、出力映像信号Ｄoutとして外部へ出力するものである。この映像信号記録再生装置１は、映像信号入力部１０と、映像信号エンコード部１１と、ＨＤＤ１２とを備えている。この映像信号記録再生装置１はまた、映像信号デコード部１３と、同期信号生成部１４と、映像信号出力部１５と、システムコントローラ１６と、ファイルシステム部１７と、切換スイッチ１８と、映像信号補正部１９とを備えている。なお、本発明の一実施の形態に係る映像信号出力方法は、本実施の形態の映像信号出力装置（映像信号記録再生装置１）において具現化されるため、以下併せて説明する。
【００１９】
映像信号入力部１０は、外部から入力した入力映像信号Ｄinを映像信号エンコード部１１へ供給するものである。また、この際に、映像信号入力部１０では、後述する同期信号生成部１４において生成する同期信号の基となる情報を、入力映像信号Ｄinから抽出するようになっている。
【００２０】
映像信号エンコード部１１は、映像信号入力部１０から供給される入力映像信号Ｄinに対して圧縮処理（エンコード処理）を行うことにより符号化し、映像圧縮信号Ｓinを生成するものである。これにより、映像圧縮信号Ｓinでは、元の入力映像信号Ｄinと比べてデータが削減されるようになっている。このようなコンコード処理としては、例えば、フレーム内圧縮とフレーム間相関とを用いてデータの圧縮を行うＭＰＥＧ（Moving Picture Experts Group）方式を用いることができる。ただし、ＭＰＥＧ方式等を用いたエンコード処理では、圧縮率は高いものの、可逆圧縮（ロスレス）では無いのが一般的である。逆に、ＪＰＥＧ（Joint Photographic Experts Group）やＪＰＥＧ２０００方式を用いたエンコード処理では、圧縮率は低いものの、可逆圧縮（ロスレス）となっている。
【００２１】
ＨＤＤ１２は、映像信号エンコード部１１から供給される映像圧縮信号Ｓinを保持しておくための記録部である。なお、このような記録部としては、ＨＤＤには限られず、例えば光学式や光磁気式、半導体式の記録媒体などの種々のものを用いることができる。
【００２２】
映像信号デコード部１３は、ＨＤＤ１２から読み出された映像圧縮信号Ｓoutに対して解凍処理（デコード処理）を行うことにより復号化し、映像信号Ｄ１を生成するものである。
【００２３】
同期信号生成部１４は、映像信号入力部１０から供給される情報を用いて、入力映像信号Ｄinとの同期を取るための同期信号（垂直同期信号、水平同期信号およびクロック信号等）を生成し、映像信号出力部へ供給するものである。
【００２４】
映像信号出力部１５は、映像信号デコード部１３から供給される映像信号Ｄ１に対して、同期信号生成部１４から供給される同期信号等を付加することにより、映像信号Ｄ２を生成するものである。これにより、映像信号Ｄ２では、入力映像信号Ｄinと同様の信号波形が得られるようになっている。
【００２５】
システムコントローラ１６は、所定のメモリであるメモリ部１６Ａを有しており、ＯＳ（Operating System）として、映像信号記録再生装置１における記録・再生の一連の動作を制御するものである。具体的には、図１に示したように、システムコントローラ１６では、映像信号エンコード部１１、映像信号デコード部１３、同期信号生成部１４およびファイルシステム部１７の動作をそれぞれ制御するようになっている。
【００２６】
ファイルシステム部１７は、システムコントローラ１６による制御に応じて、ＨＤＤ１２における映像圧縮信号Ｓinの記録および映像圧縮信号Ｓoutの再生の動作をそれぞれ制御するものである。
【００２７】
切換スイッチ１８は、入力端子と２つの出力端子１８１，１８２とを有しており、切換制御信号ＣＴＬに応じて、映像信号出力部１５から供給される映像信号Ｄ２に対する外部の接続機器（図１中に図示せず）への出力経路を切り換えるためのものである。具体的には、この接続機器が、映像信号記録再生装置、映像信号記録装置または液晶表示装置を除く表示装置である場合には、映像信号Ｄ２が後述する映像信号補正部１９を介さずにそのまま接続機器へ出力されるように、出力経路の切り換えを行う。すなわち、映像信号Ｄ２が出力端子１８１側へ出力されるように、スイッチの状態を切り換える。なお、そのような映像信号記録再生装置としては、ハードディスクビデオレコーダやＤＶＤ（Digital Versatile Disk）レコーダなどが挙げられる。一方、上記接続機器が液晶表示装置である場合には、映像信号Ｄ２が映像信号補正部１９を介することにより補正後の映像信号が接続機器へ出力されるように、出力経路の切り換えを行う。すなわち、映像信号Ｄ２が出力端子１８２側へ出力されるように、スイッチの状態を切り換える。ここで、このようなスイッチの状態の切り換えは、例えば、ユーザによるリモコン等の操作に応じて取得される切換制御信号ＣＴＬや、自動的に取得された切換制御信号ＣＴＬによってなされるようになっている。なお、切換制御信号ＣＴＬを自動的に取得する場合とは、具体的には、例えばＨＤＭＩ（High-Definition Multimedia Interface）規格のケーブルを介して接続機器のデバイスの種類等を自動認識することにより、切換制御信号を取得する場合などが挙げられる。
【００２８】
映像信号補正部１９は、上記接続機器が液晶表示装置である場合に、この液晶表示装置内で実行されるオーバードライブ処理がより強まることとなる方向へ映像信号Ｄ２に対して補正値を重畳することにより、この映像信号Ｄ２の補正を行うものである。
【００２９】
具体的には、本実施の形態では、例えば図２に示したような、接続対象の液晶表示装置における液晶の応答特性に応じて予め補正値が設定されたＬＵＴ（ルックアップテーブル）１９Ａを用いて、実時間の処理により映像信号Ｄ２の補正を行うようになっている。なお、このＬＵＴ１９Ａでは、前フレームの映像信号の階調と現在のフレームの映像信号の階調とに基づいて、補正値（図中の「−２」等で示した階調の補正値）が規定されている。ただし、図２では、図示の簡略化のため、一部の階調同士の組み合わせに対応する補正値を代表して表している。ここで、具体例として、映像信号Ｄ２がＲＧＢ規格の映像信号により構成されている場合において、映像信号Ｄ２の階調が８ビットのときには、図２に示したように、前フレームおよび現在のフレームとも１〜２５６階調を有している。したがって、Ｒ（赤），Ｇ（緑），Ｂ（青）の３色に対応する信号において個別の補正値をＬＵＴ１９Ａおいて保持するものとした場合、このＬＵＴ１９Ａ全体では、（２５６×２５６×３）個の補正値が設定されていることになる。なお、このような映像信号補正部１９における補正処理の詳細については、後述する。
【００３０】
ここで、ＨＤＤ１２が、本発明における「記録部」の一具体例に対応する。また、切換スイッチ１８が本発明における「切換部」の一具体例に対応し、映像信号補正部１９が本発明における「補正部」の一具体例に対応する。
【００３１】
［映像信号出力装置（映像信号記録再生装置）の作用・効果］
次に、本実施の形態の映像信号記録再生装置１の作用および効果について説明する。
【００３２】
（基本動作）
最初に、図１を参照して、映像信号記録再生装置１の基本動作について説明する。
【００３３】
この映像信号記録再生装置１では、外部から入力された入力映像信号Ｄinは、映像信号入力部１０を介して映像信号エンコード部１１へ供給される。この映像信号エンコード部１１では、この入力映像信号Ｄinに対して圧縮処理を行うことにより符号化し、映像圧縮信号Ｓinを生成する。そしてこの映像圧縮信号ＳinがＨＤＤ１２へ記録されることにより、システムコントローラ１６およびファイルシステム部１７による制御の下、映像信号の記録動作がなされる。
【００３４】
一方、ＨＤＤ１２から読み出された映像圧縮信号Ｓoutは、映像信号デコード部１３において解凍処理が行われることにより復号化され、映像信号Ｄ１が生成される。次いで、映像信号出力部１５では、この映像信号Ｄ１に対して、同期信号生成部１４から供給される同期信号等を付加することにより、映像信号Ｄ２を生成する。そして、この映像信号Ｄ２は、切換スイッチ１８と、場合に応じて映像信号補正部１９とを介することにより、出力映像信号Ｄoutとして外部へ出力される。これにより、システムコントローラ１６およびファイルシステム部１７による制御の下、映像信号の再生動作がなされる。
【００３５】
このようにして、映像信号記録再生装置１において、高画質かつ高忠実度の映像信号の記録・再生動作が行われる。
【００３６】
（特徴的部分の動作）
次に、図１，図２に加えて図３〜図８を参照して、映像信号記録再生装置１における特徴的部分の動作（切換・補正処理）について、比較例と比較しつつ詳細に説明する。ここで、図３は、比較例に係る映像信号出力装置（映像信号記録再生装置１０１）のブロック構成を、出力先として液晶表示装置２を接続した場合について表したものである。また、図４，図５は、液晶表示装置２におけるオーバードライブ処理の一例を、タイミング波形図を用いて表したものである。また、図６，図７は、本実施の形態の映像信号記録再生装置１において、出力先として他の映像信号記録再生装置３（図６）または液晶表示装置２（図７）を接続した場合の動作を表したものである。また、図８は、本実施の形態における映像信号の補正処理の一例を、タイミング波形図を用いて表したものである。なお、これらのタイミング波形図において、破線で示した波形は、映像信号に対応する液晶駆動電圧の波形を、実線で示した波形は、実際の液晶の応答波形を、それぞれ表している。
【００３７】
（比較例）
まず、図３に示した比較例に係る映像信号記録再生装置１０１では、図１に示した本実施の形態の映像信号記録再生装置１とは異なり、切換スイッチ１８および映像信号補正部１９が設けられていない。したがって、映像信号出力部１５からの出力信号がそのまま出力映像信号Ｄoutとして、外部の接続機器である液晶表示装置２へ出力されるようになっている。
【００３８】
そして、この液晶表示装置２では、液晶の応答特性を改善させるため、入力された出力映像信号Ｄoutに対して、例えば図４（Ａ）〜（Ｃ）に示したようなオーバードライブ処理を行ったのちに、映像表示を行うようになっている。具体的には、例えば中間調から中間調への少ない階調の変化の際などにおいて、液晶駆動電圧（破線）に対して実際の階調動作（実線）が追いつかない状況を、目標階調以上の設定電圧を一定時間与えることにより、階調変化動作を速めて応答スピードを速めている。ここで、図４（Ａ）では、黒階調（０階調）から白階調（２５５階調）への大きな階調変化があった場合において、液晶駆動電圧（破線）に対し、実際の階調動作（実線）が１フレーム期間内に追いついている状況を表している。また、図４（Ｂ）では、中間調Ｙ１から中間調Ｙ２への少ない階調の変化の場合において、液晶駆動電圧（破線）に対し、実際の階調動作（実線）が１フレーム期間内に追いついていない状況を表している。また、図４（Ｃ）では、中間調Ｙ１から中間調Ｙ２への少ない階調の変化の場合において、図中の矢印で示したように、液晶駆動電圧においてオーバードライブ処理が行われることにより（破線）、実際の階調動作（実線）が追いついている状況を表している。
【００３９】
ここで、このような映像信号記録再生装置１０１が、他の映像信号記録再生装置等の信号ソースになる場合には、画質劣化の少ない、あるいは望ましくは画質劣化の無い（ロスレス）映像信号の再生出力が望まれる。
【００４０】
ところが、このような画質劣化の少ない、あるいは画質劣化の無い（ロスレス）映像信号（高画質かつ高忠実度の映像信号）Ｄoutを、図３に示したように、応答速度が比較的遅い液晶表示装置２に対して出力する場合、以下のような問題が生じる。すなわち、上記のようなオーバードライブ処理により残像特性を改善した液晶表示装置２等においても、高画質を志向したフレームレートに対して十分なマージンが確保できていない場合、残像が取りきれずに残ってしまい、表示画質が劣化しまうことになる。具体的には、例えば図５（Ａ）では、中間調Ｙ１から中間調Ｙ２への少ない階調の変化の場合において、液晶駆動電圧（破線）に対し、実際の階調動作（実線）が、図４（Ｂ）と比べて１フレーム期間内に更に追いついていない状況を表している。また、図５（Ｂ）では、中間調Ｙ１から中間調Ｙ２への少ない階調の変化の場合において、図中の矢印で示したように、液晶駆動電圧においてオーバードライブ処理が行われているにも関わらず（破線）、実際の階調動作（実線）が追いついていない状況を表している。
【００４１】
このようにして、高画質で高忠実度の映像記録再生装置１０１において、他の映像記録再生装置の信号ソースになる場合には、劣化の少ない、あるいは劣化の無い（ロスレス）ビデオ信号の再生出力が望まれる。一方、応答速度が比較的遅い液晶表示装置２等の信号ソースになる場合には、上記したように、出力されたビデオ信号を表示したときに残像が残ってしまう問題が生じる。すなわち、劣化の少ない、あるいは劣化の無い（ロスレス）ビデオ信号の再生出力が必ずしも望まれるものとは限らないため、この比較例に係る映像信号記録再生装置１０１では、液晶表示装置２等を接続した場合において表示画質が劣化しまうことになる。
【００４２】
（本実施の形態）
これに対して、本実施の形態の映像信号記録再生装置１では、切換スイッチ１８において、切換制御信号ＣＴＬに応じて、映像信号出力部１５から供給される映像信号Ｄ２に対する外部の接続機器への出力経路を切り換えている。そして、映像信号補正部１９において、上記接続機器が液晶表示装置２等である場合においてこの液晶表示装置２等内で実行されるオーバードライブ処理がより強まることとなる方向へ映像信号Ｄ２に対して補正値を重畳し、映像信号Ｄ２の補正を行っている。
【００４３】
具体的には、例えば図６に示したように、外部の接続機器が映像信号記録再生装置３等である場合には、切換スイッチ１８において、映像信号Ｄ２が映像信号補正部１９を介さずにそのまま映像信号記録再生装置３へ出力されるように、出力経路の切り換えを行う。すなわち、この場合は図中の出力経路Ｐａで示したように、映像信号Ｄ２が補正されず、そのまま映像信号記録再生装置３へ出力される。これにより、上記接続機器が映像信号記録再生装置３等である場合には、劣化が無い（ロスレス）か、もしくは少ない高画質の映像信号が、そのまま忠実に出力される。
【００４４】
一方、例えば図７に示したように、外部の接続機器が液晶表示装置２等である場合には、映像信号Ｄ２が映像信号補正部１９を介することにより補正後の映像信号が液晶表示装置２へ出力されるように、出力経路の切り換えを行う。すなわち、この場合は図中の出力経路Ｐｂで示したように、映像信号Ｄ２が補正されたのちに液晶表示装置２へ出力される。この際、映像信号補正部１９では、上記したように、液晶表示装置２等内で実行されるオーバードライブ処理がより強まることとなる方向へ映像信号Ｄ２に対して補正値を重畳することにより、映像信号Ｄ２の補正を行う。
【００４５】
具体的には、例えば図８（Ａ）に示したように、映像信号Ｄ２の立ち上がりの際には、図中の矢印Ｐ１１で示したように、元の映像信号Ｄ２に対して補正値（階調差）ΔＹ１を加算することにより、映像信号Ｄ２の補正を行う。一方、図８（Ｂ）に示したように、映像信号Ｄ２の立ち下がりの際には、図中の矢印Ｐ２１で示したように、元の映像信号Ｄ２に対して補正値（階調差）ΔＹ２を減算することにより、映像信号Ｄ２の補正を行う。また、これらの場合において、映像信号補正部１９では、液晶表示装置２内でのオーバードライブ処理（図中の矢印Ｐ１２，Ｐ２２参照）後の液晶の応答波形（実線）が、単位フレーム期間内に遷移後の階調Ｙ２に到達することとなるように、補正を行う。このようにして、上記接続機器が液晶表示装置２等である場合には、このような補正後の映像信号が出力映像信号Ｄoutとして出力されることにより、その出力映像信号Ｄoutを表示する際の応答速度が効果的に改善され、比較例と比べて表示映像の画質が向上する。
【００４６】
以上のように本実施の形態では、外部への接続機器が映像信号記録再生装置３等である場合には、映像信号Ｄ２がそのまま映像信号記録再生装置３へ出力されるように出力経路の切り換えを行う一方、上記接続機器が液晶表示装置２等である場合には、映像信号処理部１９による補正後の映像信号が液晶表示装置２へ出力されるように出力経路の切り換えを行うようにしたので、出力先の装置に応じて、高画質の映像信号をそのまま忠実に出力したり、映像信号を表示する際の応答速度を効果的に改善したりすることができ、出力先の装置に応じて適切な映像信号を出力することが可能となる。
【００４７】
また、映像信号補正部１９では、液晶表示装置２における液晶の応答特性に応じて予め補正値が設定されたＬＵＴ１９Ａを用いて、映像信号Ｄ２の補正を行うようにしたので、実時間内での補正処理を容易にすることができる。
【００４８】
＜２．変形例＞
以下、本発明の変形例をいくつか挙げて説明する。なお、上記実施の形態における構成要素と同一のものには同一の符号を付し、適宜説明を省略する。
【００４９】
（変形例１）
本発明の変形例１では、映像信号補正部１９において用いられるＬＵＴ１９Ａにおいて、映像信号Ｄ２の階調における下位ビットがマスクされることにより、階調に対して補正値が間引いて設定されている。すなわち、上記実施の形態では、例えば映像信号Ｄ２がＲＧＢ規格の映像信号により構成されている場合において、映像信号Ｄ２の階調が８ビットのときには、前フレームおよび現在のフレームとも、１〜２５６階調の全てに対応して、補正値を有している。これに対して本変形例では、その場合には８ビットをそのまま適用せずに下位ビットをマスクすることにより、保持する補正値の数を減らすようになっている。
【００５０】
具体的には、下位１ビットをマスクした場合は、階調変化は２，４，６，…２５６の１２８の階調レベルから、２，４，６，…２５６の１２８の階調レベルへの変化の全てに対して、補正値を保持するようにする。また、下位２，３，４，…ビットをマスクした場合も、同様である。したがって、下位ビットをマスクした場合、Ｒ（赤），Ｇ（緑），Ｂ（青）の３色に対応する信号において個別の補正値をＬＵＴ１９Ａおいて保持するものとすると、ＬＵＴ１９Ａ内の補正値の数は、以下のように減少することになる。
・１ビットマスク  …  （１２８×１２８×３）個
・２ビットマスク  …      （６４×６４×３）個
・３ビットマスク  …      （３２×３２×３）個
・４ビットマスク  …      （１６×１６×３）個
【００５１】
このようにして本変形例では、ＬＵＴ１９Ａにおいて、映像信号Ｄ２の階調における下位ビットをマスクすることにより、階調に対して補正値が間引いて設定されているようにしたので、ＬＵＴ１９Ａにおいて保持する補正値の数を減らすことができ、補正値を保持するためのメモリ量を減らすことが可能となる。
【００５２】
（変形例２）
図９は、本発明の変形例２に係る映像信号の補正処理の一例を表すものである。本変形例では、上記変形例１において、ＬＵＴ１９Ａにおいて間引かれている階調に対応する補正値を所定の補間処理により算出すると共に、その算出した補正値を用いて補正を行うようになっている。
【００５３】
具体的には、映像信号補正部１９では、例えば図９に示した階調差Ｘ１，Ｘ２およびそれらに対応する補正値Ｚ１，Ｚ２に基づいて（図中の点Ｐ３１，Ｐ３２参照）、直線Ｇ３を用いた線形補間処理を行う。これにより、図中の点Ｐ３３に示したように、間引かれている階調差Ｘ３に対応する補正値Ｚ３を算出するようになっている。なお、ここでは線形補間処理を例に挙げて説明したが、他の補間処理を用いるようにしてもよい。
【００５４】
このようにして本変形例では、ＬＵＴ１９Ａにおいて間引かれている階調に対応する補正値を所定の補間処理により算出すると共に、その算出した補正値を用いて補正を行うようにしたので、ＬＵＴ１９Ａにおけるメモリ量を減らした場合であっても、補正精度を維持することが可能となる。
【００５５】
（変形例３）
本発明の変形例３では、映像信号処理部１９において、Ｒ，Ｇ，Ｂ信号に対して共通（同一）の補正値を用いることにより、補正を行うようになっている。すなわち、上記実施の形態等では、Ｒ，Ｇ，Ｂの３色に対応する信号において個別の補正値をＬＵＴ１９Ａおいて保持することにより、個別に補正を行っている。これに対し、本変形例では、Ｒ，Ｇ，Ｂ信号Bでの補正特性は近似的に同じであるものとみなすことにより、Ｒ，Ｇ，Ｂ信号に対して同一の補正値を用いている。
【００５６】
これにより本変形例では、ＬＵＴ１９Ａにおいて保持する補正値の数を１／３に減らすことができ、補正値を保持するためのメモリ量を減らすことが可能となる。
【００５７】
（変形例４）
図１０は、本発明の変形例４に係る映像信号の補正処理の一例を表すものである。本変形例では、映像信号補正部１９において、これまで説明したＬＵＴの代わりに、所定の塩演算式（近似曲線）を用いた補正処理を行うようにしたものである。すなわち、液晶表示装置２における液晶の応答特性に応じて予め規定された演算式（近似曲線）を用いて補正値を随時算出することにより、映像信号Ｄ２の補正を行うようになっている。
【００５８】
具体的には、例えば図１０中に示したように、階調差Ｘと補正値Ｚとを対応づける下記の演算式（１）を示す近似曲線Ｇ４を用いて補正を行う。なお、この演算式（１）中のＡ０〜Ａｎはそれぞれ、所定の係数を示している。
Ｚ＝（Ａ０）＋（Ａ１）×Ｘ1＋（Ａ２）×Ｘ2＋（Ａ３）×Ｘ3＋…（Ａｎ）×Ｘn
…（１）
【００５９】
これにより本変形例では、ＬＵＴ１９Ａを用いて補正を行う場合と比べ、補正の際に使用するメモリ量を減らすことが可能となる。
【００６０】
（変形例５）
本発明の変形例５では、これまで説明したＲＧＢ規格の映像信号の代わりに、入力映像信号Ｄinを圧縮する際の中間信号である、ＹＣｒＣｂ規格の映像信号に対して補正を行うようになっている。
【００６１】
この際、映像信号補正部１９では、Ｙ（輝度）信号に対して相対的に大きな補正値を重畳する一方、Ｃｒ，Ｃｂ（色差）信号に対して相対的に小さな補正値を重畳するようにするのが望ましい。色差信号に対して大きな補正値を重畳させた場合、映像全体の色合いが大きく変化してしまい、表示画質が劣化してしまうからである。
【００６２】
このようにして、本変形例では、ＹＣｒＣｂ規格の映像信号に対して補正を行うようにしたので、ＲＧＢ規格の映像信号の場合と比べて画素数が少なくなるため、それに伴って補正が少なくて済むことから、補正処理が容易になる。
【００６３】
なお、本変形例では、映像信号補正部１９では、Ｃｒ，Ｃｂ（色差）信号に対して共通（同一）の補正値を用いて補正を行うようにしてもよい。そのようにした場合、補正値の数を１／２に減らすことができるため、補正値を保持するためのメモリ量を減らすことが可能となる。
【００６４】
以上、実施の形態および変形例を挙げて本発明を説明したが、本発明はこれらの実施の形態等に限定されず、種々の変形が可能である。
【００６５】
例えば、上記実施の形態等では、液晶表示装置２内においてオーバードライブ処理を行う場合について説明したが、例えば液晶表示装置２内においてオーバードライブ処理を行わない場合には、映像信号処理部１９において以下の補正を行うようにしてもよい。すなわち、液晶表示装置２内でのオーバードライブ処理に相当する補正を、映像信号処理部１９において行うようにする。これにより、液晶表示装置２での応答特性が改善され、液晶表示装置２本来の性能よりも良い画質となる。
【００６６】
また、上記実施の形態等では、ＲＧＢ規格およびＹＣｒＣｂ規格の映像信号に対して補正を行う場合について説明したが、他の規格の映像信号に対して補正を行うようにしてもよい。
【００６７】
さらに、上記実施の形態等では、映像信号を保持しておくための記録部としてのＨＤＤ１２を備え、映像信号記録再生装置（または映像信号再生装置）として構成されている映像信号出力装置について説明したが、この場合には限られない。すなわち、本発明は、例えば、出力映像信号Ｄoutを液晶表示装置２へ供給する回転モノストーレジや、液晶表示装置２に対して液晶駆動信号を供給する映像信号処理装置に対しても適用することが可能である。
【符号の説明】
【００６８】
１…映像信号記録再生装置、１０…映像信号入力部、１１…映像信号エンコード部、１２…ＨＤＤ、１３…映像信号デコード部、１４…同期信号生成部、１５…映像信号出力部、１６…システムコントローラ、１６Ａ…メモリ部、１７…ファイルシステム部、１８…切換スイッチ、１８１，１８２…出力端子、１９…映像信号補正部、１９Ａ…ＬＵＴ、２…液晶表示装置、３…映像信号記録再生装置、Ｄin…入力映像信号、Ｄout…出力映像信号、Ｄ１，Ｄ２…映像信号、Ｓin，Ｓout…映像圧縮信号、ＣＴＬ…切換制御信号、Ｙ０〜Ｙ３…階調、ΔＹ１，ΔＹ２…階調差（補正量）、Ｐａ，Ｐｂ…映像信号の出力経路、Ｘ，Ｘ１〜Ｘ３…階調差（＝現在階調−前階調）、Ｚ，Ｚ１〜Ｚ３…補正値、Ａ０〜Ａｎ…係数、Ｇ４…近似曲線（補正値算出曲線）。
【図１】
2010204344.tif 000003
【図２】
2010204344.tif 000004
【図３】
2010204344.tif 000005
【図４】
2010204344.tif 000006
【図５】
2010204344.tif 000007
【図６】
2010204344.tif 000008
【図７】
2010204344.tif 000009
【図８】
2010204344.tif 000010
【図９】
2010204344.tif 000011
【図１０】
2010204344.tif 000012